(57)【要約】種々の対象の類似性を評価する方法は、通信装置を用いて実際の対象のデータを記録するステップ（４０）を備える。さらに、以下のステップ：前記記録データをサービスサーバに送信するステップ（４１）と、前記記録データから比較の対象を抽出するステップ（４２）と、前記比較の対象と予め格納された対象との間で類似性解析を作成するステップ（４３）と、前記類似性解析に関する情報を包含する結果データを結果ユニットに送信するステップ（４４）が含まれる。
2006504180.tif 000002
【特許請求の範囲】
【請求項１】
通信装置（１）を用いて、顔である、現実の対象のデータを記録するステップ（４０；５０）と、
前記記録データをサービスサーバ（１００；４０５）に送信するステップ（４１；５２，６０）と、
前記記録データから比較対象を抽出するステップ（４２；６４）と、
前記比較対象と予め格納された対象との間で類似性解析を作成するステップ（４５；６５）と、
前記類似性解析に関する情報を含む結果データを結果ユニット（１；１００；４０５）に送信するステップ（４４；６７）と、
を備える、種々の対象の類似性を評価する方法。
【請求項２】
前記記録データをサービスサーバ（１００；４０５）に送信するステップ（４１；５２，６０）は、少なくとも一部分は無線で生じている請求項１に記載の方法。
【請求項３】
前記記録データをサービスサーバ（１００；４０５）に送信するステップ（４１；５２，６０）は、前記記録データをメッセージとしてパッケージするステップ（５１）と、前記サービスサーバ内で前記メッセージのパッケージを解除するステップ（６３ａ）とを備える請求項１または請求項２の何れかに記載の方法。
【請求項４】
前記通信装置（１）の前記同一性を前記サービスサーバ（１００；４０５）に送信するステップ（４１）と、前記サービスサーバ内に前記同一性を格納するステップ（６１）と、をさらに備える請求項１ないし請求項３の何れかに記載の方法。
【請求項５】
前記結果ユニットは前記通信装置（１）より構成される請求項１ないし請求項４の何れかに記載の方法。
【請求項６】
前記結果データは、アドレスリンクを包含する請求項１ないし請求項５の何れかに記載の方法。
【請求項７】
前記記録データは、デジタル画像である請求項１ないし請求項６の何れかに記載の方法。
【請求項８】
前記サービスサーバ（１００；４０５）は多数の格納された対象を備えると共に、前記類似性解析は、
前記比較対象が最も似ている格納された対象を同一であると識別するステップを備える請求項１ないし請求項７の何れかに記載の方法。
【請求項９】
前記結果データは、前記比較対象が最も似ているものと識別された対象と、類似性の度合いの尺度と、を包含する請求項１０に記載の方法。
【請求項１０】
前記結果データは、前記比較対象が最も似ている格納対象に関する追加の情報を包含する請求項１１に記載の方法。
【請求項１１】
前記サービスサーバ（１００；４０５）内に前記比較対象を格納するステップをさらに備える請求項１ないし請求項１０の何れかに記載の方法。
【請求項１２】
前記通信装置は、携帯電話である請求項１ないし請求項１１の何れかに記載の方法。
【請求項１３】
前記メッセージは、ＭＭＳ（マルチメディア・メッセージ・サービス）メッセージである請求項３に記載の方法。
【請求項１４】
送信されるデータに応答して、前記通信装置（１）へフォームを送るステップと、
前記通信装置（１）を用いてフォームデータを記録するステップと、
前記サービスサーバへ前記記録されたフォームデータを送信するステップと、
を更に備えると共に、
前記類似性解析を作成（４５；６５）するステップは、前記類似性解析の中の前記フォームデータを用いるステップを備える請求項１ないし請求項１３の何れかに記載の方法。
【請求項１５】
顔である、実際の対象の記録データを受信するステップ（６０）と、
前記データから比較対照を抽出するステップ（４２；６４）と、
前記比較対象と予め格納された対象の間で類似性解析を作成するステップ（４５；６５）と、
前記類似解析に関する情報を包含する結果データを送信するステップ（４４；６７）と、
を備える、種々の対象の類似性を評価する方法。
【請求項１６】
前記受信データは、ＭＭＳメッセージである、請求項１５に記載の方法。
【請求項１７】
受信データに応答してフォームを送るステップと、
フォームデータを受信するステップと、をさらに備えると共に、
前記類似性解析を作成するステップ（４５；６５）は、前記類似性解析内の前記フォームデータを用いるステップを備える請求項１５または請求項１６の何れかに記載の方法。
【請求項１８】
前記比較対象が最も似ている前記格納対象の同一性を識別するステップをさらに備え、
前記結果データは、前記比較対象が最も似ている前記識別された対象と、類似性の度合いの尺度とを包含する請求項１５ないし請求項１７の何れかに記載の方法。
【請求項１９】
サービスサーバ（１００；４０５）内に比較対象を格納するステップをさらに備える請求項１５ないし請求項１８の何れかに記載の方法。
【請求項２０】
顔である実際の対象の記録データを受信するために適用される受信部（１０１；２０１；３０１）と、対象を格納するため適用される対象データベース（１０４；２０４；３０４）と、比較対象を抽出するため適用されるサービス取扱い部（１０２；２０２；３０２）と、前記比較対象と前記格納対象との間で類似性解析を作成するため適用される対象認識部（１０３；２０３；３０３）と、前記類似性解析に関する情報を包含する結果データを送信するため適用される送信部（１０６；２０６；３０６）と、を備える、種々の対象の類似性を評価するためのサーバ（１００；４０５）。
【請求項２１】
前記格納対象に関する情報を格納するために適用される事実のデータベース（１０５；２０５；３０５）をさらに備える請求項２０に記載のサーバ（１００；４０５）。
【請求項２２】
ＷＡＰサーバをさらに備える請求項２０または請求項２１の何れかに記載のサーバ（１００；４０５）。
【請求項２３】
ＳＭＳ送信部をさらに備える請求項２０ないし請求項２２の何れかに記載のサーバ（１００；４０５）。
【請求項２４】
ｉ−モードサーバをさらに備える、請求項２０または請求項２１の何れかに記載のサーバ（１００；４０５）
【請求項２５】
受信部（１０１；２０１；３０１）がＭＭＳ受信部である請求項２０ないし請求項２４の何れかに記載のサーバ（１００；４０５）。
【請求項２６】
前記比較対象が最も似ている前記格納対象を識別するためにさらに適用され、
前記結果データは、前記比較対象が最も似ている前記識別された対象と、類似性の度合いの尺度と、を包含する請求項２０ないし請求項２５の何れかに記載のサーバ（１００；４０５）。
【請求項２７】
前記比較対象を格納するためにさらに適用される、請求項２０ないし請求項２６の何れかに記載のサーバ（１００；４０５）。
【請求項２８】
前記受信データに応答して、フォームを送るためにさらに適用されると共に、フォームデータを受信するために適用され、前記サーバは、前記類似性解析における前記フォームデータを用いるために適用される、請求項２０ないし請求項２７の何れかに記載のサーバ（１００；４０５）。
【請求項２９】
実際の対象のデータを記録すると共に前記記録データを少なくとも部分的には無線であるネットワークを介して、請求項２０ないし請求項２８の何れかに記載されたように配置されたサーバ（１００；４０５）へと送信するために適用された通信装置（１）を備える、種々の対象の類似性を評価するためのシステム。
【請求項３０】
ＴＶプログラム内で、予め格納された対象と受信された記録データから抽出された多数の比較対象との間で類似性解析を作成するための、請求項１ないし請求項１９の何れかに記載された方法の使用。
【発明の詳細な説明】
【技術分野】
【０００１】
この発明は、類似性を評価する方法、サーバ、類似性評価用のシステムおよび前記方法の使用に関する。
【背景技術】
【０００２】
今日、とりわけ、技術的装置を利用できるために、または、施錠された構内へ入ることを許されるために必要とされる、種々のログオンプロセスにおいて、識別および認証技術が用いられている。
【０００３】
識別方法は、インターネットアドレス「www.viisage.com/facexplore.htm」に説明され、データベースに格納された画像に対して合致させられる記録画像に基づいている。したがって、マッチングの結果は、コンピュータに対してアクセスする人々に対する同一性の確認、または、電子商取引［e-commerce］用の認証のために用いることができる。
【０００４】
しかしながら、この方法の不利な点は、この技術が画像の中の人がデータベースの中の項目の中の人と同一であることを確実に検証するために適合されられることである。これは、入力データに高い要求を提起して、入力データ用のパラメータが相対的に複雑であることを意味している。例えば、入力データは、パラメータにより表現された記録人物がデータベースにそのパラメータが格納された人物と全く同一であるのか否かを保証するためのパラメータをそのシステムが選択する、映像の連続である。
【０００５】
音声識別用の他の方法の例は、米国特許第６，４１１，９２６から周知であり、これは、音声コマンドが記録されて、その後、デジタル信号プロセッサを用いるデジタル化された音声信号からパラメータを抽出するためにサンプル化されるシステムを開示している。これらのパラメータは、データベース内の音声テンプレートとこれらを比較するマイクロプロセッサ内へと供給される。デジタル信号プロセッサは、「ボコーダ［vocoder］」（ボイス操作された符号化器―voice-operated coder―）である。この技術は、記録された音声を処理して何を言おうとしているかを見つけ出すことを試みている。この技術の不利な点は、例えば音声コマンドを使用する携帯電話内で取り扱われるメニューを制御するために、適合される音声のテンプレートの制限された選択の中から音声テンプレートを見つけ出すことである。
【０００６】
周知の方法は、例えばwww.amialookalike.com、www.amiredneckornot.comまたはwww.ratemybody.com等のインターネットに基づくサービスの形式で入手可能である。これらのサービスは、人物、例えば自分自身の画像を送ることを含んでおり、その後、他のユーザは、そのサービスがその結果を与えるために投票することである。この方法の不利な点は、結果について、他のユーザが参加して投票しなければならない点である。さらに、投票が終了する前に長い時間が掛かり、また、代替的には、投票をするための締め切り［deadline］がなく、この場合、明確な結果が現れない。結果の評価はまた、誰が、およびどのくらいの人数の人が投票するかに高く依存するであろうし、これは、結果の質が非常に高くはないことを意味している。これは、サービスの魅力を損なう。映像の中で送られたことは、他のユーザに対して公表されなくてはならず、これはユーザの安全性を危うくするかもしれない。
【発明の概要】
【０００７】
この発明の目的は、大きなグループのユーザの類似性を評価する方法を提供することである。
【０００８】
第１のアスペクトによれば、この発明は、通信装置を用いて、現実の対象のデータを記録するステップと、前記記録データをサービスサーバに送信するステップと、前記記録データから比較対象を抽出するステップと、前記比較対象と予め格納された対象との間で類似性解析を作成するステップと、前記類似性解析に関する情報を含む結果データを結果ユニットに送信するステップと、を備える、種々の対象の類似性を評価する方法に関する。
【０００９】
この方法は、記録された対象が予め格納された対象にどのくらい似ているのかを評価するのに用いることができる。複数の予め格納された対象が存在しても良く、類似性解析はこれらの予め格納された対象に対して作成可能である。実際の対象は、例えば、動物または人間であることが可能である。通信装置を用いるならば、音声、画像あるいはその両方のようなデータを記録することが可能である。通信装置は、例えば、インターネットのようなコンピュータネットワークを介して接続されたコンピュータであることが可能であり、このコンピュータは、コンピュータネットワークを介してサービスサーバに対して情報を送信可能である。このサービスサーバは、コンピュータネットワークに接続された、通常のＰＣ（パーソナルコンピュータ）であることが可能である。
【００１０】
前記記録されたデータを送信するステップは、前記記録されたデータを転送するステップと前記記録されたデータを前記サービスサーバ内で受信するステップとを備えても良い。
【００１１】
類似性解析に関する情報は、予め格納された対象に対する比較対象の類似性の度合いを含んでいても良い。この類似性は、ある値域の範囲内にあっても良いある値として主張可能である。この値が前記値域の上限に近づけば近づくほど、前記格納された対象に対する前記比較対象の類似性の度合いがより大きくなるように、この値は画定可能である。もしも、類似性解析が複数の格納された対象について作成されるならば、最も大きな類似性を有する対象が選択可能である。結果データは、前記最大の類似性を有して前記格納された対象と、類似性の値とを含んでいても良い。結果データはまた、前記比較対象が最も似ている前記格納された対象に関する情報を含んでいても良い。
【００１２】
結果ユニットが前記サービスサーバ内で利用可能であっても良い。これはまた、前記サービスサーバの所有者に帰属する外部ユニットであっても良い。この結果ユニット内で、前記類似性解析からの結果は、要求があったときに提供されるようにして格納可能である。
【００１３】
この発明による方法の長所は、通信ユニットの中に特別なソフトウェアは必要ないが、現時点で用いることが可能である通信ユニットが使用可能であり、これは、その類似性が評価されるべきであるデータを記録する能力がある。
【００１４】
したがって、その他の長所は、ユーザにとってこの方法が使用し易いことであり、その理由はユーザが既に熟知している通信装置を用いることができるからである。
【００１５】
この方法のさらに他の長所は、この方法が公共事業に関することが可能な、または、より楽しませる特性を有することが可能なたくさんの新たなサービスを許容することである。
【００１６】
この方法のその他の長所は、この方法がたくさんのユーザのグループにより使用可能であることである。各ユーザは、彼自身の通信装置を使用可能であり、共通のサービスサーバに対してデータを送信することができる。
【００１７】
この方法のさらに他の長所は、類似性解析がサービスサーバ内のソフトウェアにより自動的に作成可能であることである。これは、類似性解析が対象と信頼性のある結果とを提供可能であること意味している。
【００１８】
この方法の１つの実施の態様において、前記記録されたデータを前記サービスサーバに送信するステップは、少なくとも部分的には無線通信で生じていることである。
【００１９】
この長所は、通信装置が移動可能であることである。これは、ユーザが通信装置を携帯可能であり、要求されたときにこの方法を動作させることが可能であることを意味している。もちろん、ユーザにとってはそのユーザが位置している場所の移動体通信ネットワークへのアクセスを有することが必要である。
【００２０】
この携帯通信装置は、例えば、携帯電話、または、ＰＤＡ（パーソナル・デジタル・アシスタント―携帯情報端末―）であることが可能である。
【００２１】
これは、例えば、警察官たちのような、幾つかの職業上のグループにとって有利であり、彼らはこの方法を、例えば犯罪の場面などで用いることができる。記録されている音声または画像は、予め格納された音声または画像との類似性の評価のために、記録および送信可能である。
【００２２】
この方法の他の実施の態様において、前記記録されたデータをサービスサーバに送信するステップは、前記記録されたデータをメッセージとしてパッケージにするステップと、前記サービスサーバ内でこのメッセージのパッケージを解除するステップとを備える。
【００２３】
このメッセージは、例えば、電子メールであることも可能である。メッセージを用いる長所は、これがデータを送信するのに良好に機能するやり方であることである。メッセージを用いることにより、通信装置または通信サーバは、ネットワークに常時接続しておく必要はないが、都合の良いときには接続可能でありメッセージを送信できるものである。
【００２４】
メッセージを用いるもう１つの長所は、この方法が実施するのに容易であることであり、その理由は対象とするユーザが、彼らは普通の人々であるが、将来彼ら自身の携帯電話を持つであろうし、それらの携帯電話はメッセージ機能を支えるオペレータに接続されているからである。
【００２５】
他の実施の態様において、この方法はさらに、前記サービスサーバに対する前記通信装置の同一性の識別を送信するステップと、このサービスサーバにおける前記同一性の識別を格納するステップとを備えている。
【００２６】
通信装置の同一性の識別は、電話番号、電子メールのアドレスまたはＩＰ（インターネット・プロトコル）番号であっても良い。これらのステップは、後の段階で前記記録されたデータが送られてきた通信装置へのコンタクトを可能にされるべき通信サーバのために実行される。
【００２７】
同一性の識別は、この同一性識別がどのようにして用いられるべきかにより、一時的または長時間格納可能である。
【００２８】
この方法の１つの実施の態様において、結果ユニットは通信装置を含んでいても良い。
【００２９】
これは、通信装置のユーザが彼の開始した類似性解析に関する情報を得ることができることを意味している。このユーザは、対象データベース内の誰の記録された対象が最もよく似ているか、および、この格納された対象に記録された対象がどのくらい良く似ているかに関する情報を得ることができる。
【００３０】
この方法の長所は、ユーザが類似性解析における素早いフィードバックを得るであろうことである。
【００３１】
この方法の１つの実施の態様において、前記結果データはアドレスリンクを含んでいる。
【００３２】
このリンクは、ユーザが、例えば、類似性解析に関する、より多くの情報を見つけることができる、インターネットページのアドレスであっても良い。前記結果データはまた、ユーザの類似性解析が格納されている、ユーザに対してそのユーザの個人的なセッティングと共にユーザのページにログオンすることを可能にするパスワードであっても良いキーを含んでいても良い。ユーザが携帯電話を有しているならば、ユーザは、ＷＡＰ（無線アプリケーション・プロトコル）を介して、該当のページに接続できる。このサービスサーバは、ＷＡＰサーバと一体となって配置されていても良いので、接続はサービスサーバに対して直接に生じる。
【００３３】
この方法の他の実施の態様において、前記記録されたデータは、デジタル画像である。
【００３４】
類似性解析は、その後に、例えば、幾つかのタイプの顔認識プログラムを用いて顔について作成可能である。これはまた、それらの画面の状況に基づいて動物の種を決定するため、またはイヌの血統を決定するために、用いることも可能である。
【００３５】
この方法の１つの実施の態様において、前記記録されたデータは、録音（音声記録）である。
【００３６】
類似性解析はその後、記録された音声に似ている格納された音声を求めて所定の音声との上に作成可能である。これは、例えば歌っている声であっても良い。類似性解析はまた、動物の種類を決定するための動物の音声の上に作成されても良い。
【００３７】
この方法のその他の実施の態様において、前記記録されたデータは、デジタル画像および録音である。
【００３８】
類似性解析はその後、画像の上、および音声の上の両方について、２つの特性が共に重み付けされることを可能にした後に作成される。画像と音声との両方を用いることができる長所は、類似性の評価の全体をより大きくする可能性があることである。
【００３９】
この方法の他の実施の態様において、サービスサーバは、多数の格納された対象を備え、類似性解析は、比較対象に最も良く似ている格納対象を同定するステップを備える。
【００４０】
格納された対処が比較対象に最も似ていることを決定することは、例えば、ある特定の格納された対象に対する比較対象の類似性の度合いにしたがって値を演算することにより、実行することができる。この値が高くなればなるほど、類似性は大きくなる。
【００４１】
この方法の１つの実施の態様において、前記結果データは、比較対象が最もよく似ているものとして同定された対象と、類似性の度合いの尺度とを包含している。
【００４２】
類似性のこの度合いの尺度は、所定の値域の範囲内の数値であっても良い。この尺度は、値が高ければ高いほど同定された対象に対する比較対象の類似性がより大きいように画定されても良い。
【００４３】
この方法の１つの実施の態様において、前記結果データは、前記比較対象が最も似ている前記格納された対象に関する追加の情報を含んでいる。
【００４４】
この追加の情報は、前記格納された対象に関する事実であっても良い。もしも格納された対象が、例えば人物を表現しているならば、追加の情報はその人物の名前や電話番号であっても良い。
【００４５】
他の実施の態様において、この方法は、比較対象をサービスサーバ内に格納するステップを備える。
【００４６】
サービスサーバ内に比較対象を格納することにより、前記格納された対象は、増加可能である。比較対象はその後、将来の類似性解析に用いられる。
【００４７】
この方法の１つの実施の態様において、通信装置は携帯電話である。
【００４８】
この方法の他の実施の態様において、メッセージは、ＭＭＳ（マルチメディア・メッセージ・サービス）のメッセージである。
【００４９】
もしもアドレスリンクが結果データと共に送られるべきであるとすると、このアドレスリンクは、この場合ＭＭＳである結果データに添付可能である。
【００５０】
１つの実施の態様において、この方法はさらに送信されたデータに応答して通信装置に対してフォームを送るステップと、通信装置を用いてフォームデータを記録するステップと、前記記録されたフォームデータをサービスサーバに送信するステップとを備え、前記類似性解析を作成するステップは、前記類似性解析の中の前記フォームデータを用いるステップである。
【００５１】
サービスサーバが前記記録されたデータを受け取ったとき、これに応答してサービスサーバは通信装置にフォームを送信する。このフォームは、類似性解析を補うのに必要な質問を含んでいても良い。通信装置の使用は、例えば、このフォームの中で要求された詳しい点を入力できる。フォームデータは、例えば、ユーザの名前、性別、年齢であっても良い。もしも対象データベースが多数の対象を備えているならば、類似性解析は、例えば年齢のようなフォームデータと同様に、前記第１ステップで記録されたデータに基づいて最も大きな類似性を有する対象を見つけ出すためにフォームデータを用いることができる。フォームデータを用いて類似性解析はより関連性をもって作成可能であり、その理由は要求された対象がより明瞭に、かつ、より際立って画定されるからである。
【００５２】
第２のアスペクトによれば、この発明は、データを受信するステップと、前記データから比較対象を抽出するステップと、前記比較対象と予め格納された対象との間で類似性解析を作成するステップと、前記類似性解析に関する情報を含む結果データを送信するステップとを備える、種々の対象の類似性を評価する方法に関する。
【００５３】
この方法の１つの実施の態様において、前記受信されたデータは、ＭＭＳメッセージである。
【００５４】
他の実施の態様において、この方法は、受信されたデータに応答して、フォームを送信するステップと、フォームデータを受信するステップとを備え、前記類似性解析を作成するステップは、前記類似性解析の中の前記フォームデータを用いるステップを備えている。
【００５５】
この方法は、上述した実施の態様と本質的に同一の長所を有している。
【００５６】
第３のアスペクトによれば、この発明は、データを受信するために適用される受信部と、対象を格納するために適用される対象データベースと、比較対象を抽出するために適用されるサービス取扱い部と、比較対象と前記格納された対象との間の類似性解析を作成するために適用される対象認識部と、前記類似性解析に関する情報を含む結果データを送信するために適用される送信部と、を備える、種々の対象の類似性を評価するためのサーバに関する。
【００５７】
１つの実施の態様において、このサーバは、前記格納されたデータに関する情報を格納するために適用される、事実のデータベースを備えている。
【００５８】
他の実施の態様において、サーバは、ＷＡＰサーバを備える。
【００５９】
１つの実施の態様において、ＳＭＳ（短いメッセージ・サーバ）送信部を備えている。
【００６０】
このＳＭＳ送信部は、ＳＭＳメッセージを外部ユニットに送るために用いられても良い。ＳＭＳメッセージは、サーバのアドレスに関する情報を含んでいても良いので、この外部ユニットは後のステージでサーバに接続できる。
【００６１】
１つの実施の態様において、サーバは、ｉ−モードサーバを備える。
【００６２】
このサーバは、上述したものと本質的に同一の長所を有する。
【００６３】
第４のアスペクトによれば、この発明は、実際の対象のデータを記録し、前記記録されたデータを、少なくとも部分的に無線であるネットワークを介して、請求項２０ないし２３の何れかに記載されたように配置されたサーバへと送信するために適用される通信装置を備える、種々の対象の類似性を評価するためのシステムに関する。
【００６４】
このシステムは上述したものと本質的に同一の長所を有する。
【００６５】
第５のアスペクトによれば、この発明は、予め格納された対象と、受信された記録データから抽出された多数の比較対象との間で類似性解析を行なうためのテレビの番組表内で、請求項１ないし１７の何れかに記載された方法の使用に関する。
【００６６】
この発明による方法は、例えば、各部分に格納された対象が特別な有名人であり、競争に参加すると共にこの部分の有名人に最も似ているテレビ視聴者の同一性を認識することを含む、例えば、テレビの番組における（視聴率）競争で用いることができる。この競争に参加するテレビの視聴者は、例えば、彼自身の携帯電話を用いて、彼自身の画像を記録することができ、その後、類似性解析用のテレビ番組用のサービスサーバへ前記画像を送信することができる。
【発明を実施するための最良の形態】
【００６７】
この発明の異なる実施形態を例示の方法で表示する添付の概略図を参照しながら、この発明は、より詳細に説明される。
【００６８】
図１と図２を参照しながら、この発明の第１実施形態による携帯通信端末が以下に説明される。通信装置は図１に示され、この実施形態においては、携帯電話１である。携帯電話１は、携帯遠隔通信システム用に利用可能である何れかの装置であっても良く、例えばＧＳＭ（携帯送信用グローバル・サービス）、ＣＤＭＡ（符号分割多重アクセス）、ＵＭＴＳ（ユニバーサル・モバイル遠隔通信システム）、ＰＤＣ（太平洋デジタル・セルラ）、ＡＭＰＳ（先端携帯電話システム）、または、Ｄ−ＡＭＰＳ（デジタル−ＡＭＰＳ／先端携帯電話システム）などがある。
【００６９】
携帯電話１は、アンテナ１０と、ラウドスピーカ１１と、表示部１２と、複数のキー１３と、マイクロホン１４と、レンズ１６およびリリース（シャッタ・ボタン）１７と一体のデジタルカメラ１５とを備える。デジタルカメラ１５は、携帯電話機１の中に、完全に統合可能でまたは取り外し可能であっても良く、使用のためには、ユーザにより携帯電話１に実装可能であっても良い。デジタルカメラ１５は、また、ケーブルを介して携帯電話機１に対して画像を送信可能な、分離ユニットであっても良い。送信はまた、例えば、ブルートゥースまたはＩＲ（赤外線）のような幾つかの他のタイプの短距離無線通信により無線で生じても良い。
【００７０】
図２は、この発明の要旨に沿った携帯電話機１の幾つかの構成要素を示している。制御ユニット２０は、携帯電話機１の全体的な制御動作のために応答可能であり、例えば、ＣＰＵ（中央処理ユニット）、ＤＳＰ（デジタル信号処理部）または幾つかのその他のプログラム可能な論理ユニットのような商用的に利用可能であるマイクロプロセッサにより有利に実現される。
【００７１】
制御ユニットは、アンテナ１０と無線回路２４とを備える無線インタフェース１０，２４に接続されている。無線インタフェース１０，２４は、送受信基地局２２への無線接続２１を確立して持続する。この技術分野の熟練者にとって周知である、無線回路２４は、アナログおよびデジタル電子構成要素の直列回路であり、一緒になって無線受信部および無線送信部を構成する。無線回路２４は、例えば帯域通過フィルタ、増幅器、ミキサ、局部発振器、低域通過フィルタ、ＡＤ変換器などを備えている。
【００７２】
制御ユニット２０はまた、例えば、ＲＡＭメモリ、ＲＯＭメモリ、ＥＥＰＲＯＭメモリ、フラッシュメモリ、またはこれらの組み合わせのような、電気的メモリ２３に接続されている。このメモリ２３は、制御ユニット２０による種々のタスクのために用いられており、これらのタスクのうちの１つは、キーパッド２５および表示部１２を備える、マン−マシーンインタフェースを構成するデータおよびプログラム命令を格納している。この制御ユニット２０はさらに、デジタル画像が記録可能である構成を用いて、デジタルカメラ１５に接続される。
【００７３】
サービスサーバ
図３は、この発明の第１実施形態によるサービスサーバ１００のブロック図である。このサービスサーバ１００は、通常のＰＣであっても良い。このサービスサーバ１００は、メッセージ受信部１０１と、サービス取扱い部１０２と、対象認識部１０３と、対象データベース１０４と、事実の［factual―事実上の・事実に基づく―］データベース１０５と、さらにメッセージ送信部１０６とを備える。
【００７４】
サービス取扱い部１０２は、サービスサーバ１００の全部の動作への責任を負うと共に商用的に利用可能なマイクロプロセッサ、例えばＣＰＵ（中央処理ユニット）または幾つかの他のプログラム可能な論理ユニットと一体となって有利に実施される。対象認識部１０３はサービス取扱い部１０２と同一のユニットに実施可能であり、これらは一緒になってサービスサーバ１００用の制御ユニットを構成する。
【００７５】
対象データベース１０４と事実のデータベース１０５とは、例えばハードディスクのような不揮発性メモリと一体となって実施される。
【００７６】
メッセージ受信部１０１およびメッセージ送信部１０６は、無線インタフェースを構成する。
【００７７】
サービス・プロバイダであっても良い、サービスサーバ１００の所有者は、例えば、周知の人物の肖像を入力することにより、対象データベース１０４内に項目を作成できる。この人物像は、多数のパラメータにより記述された、対象として入力される。さらに、事実のデータベース１０５内で項目へのリンクが作成され、周知の人物に関するデータがその中に格納できる。これは、名前、性別、年齢、身長、体重、職業、髪の色、皮膚の色、その人物に関する言葉による記述、履歴書その他であっても良い。この情報は、その資料に容易に事実を付加させるための、ＸＭＬ（拡張可能記録言語）文書として作成可能である。
【００７８】
サービスサーバ１００は、受信されたメッセージを適切なフォーマットに符号化してこの符号化された対象を一時的に格納する。
【００７９】
全般的な方法
この発明の第１実施形態による方法は、図７のフローチャートを参照しながら全般的に今から説明されるであろう。
【００８０】
ユーザはステップ４０で、通信装置１を用いる実際の対象のデータを記録する。通信装置１はステップ４１で、記録されたデータをサービスサーバ１００に送信する。サービスサーバ１００はステップ４２で、記録されたデータから比較対象を抽出する。この比較対象は、記録された対象を記述する多数の所定のパラメータによって表現されている。サービスサーバ１００は、ステップ４３で類似性解析を作成し、前記比較対象を、このサービスサーバ内に予め格納された対象と比較する。サービスサーバ１００はステップ４４で、類似性解析に関する情報を含む結果データを結果ユニット１；１００へと送信する。
【００８１】
詳細な実施形態
次に、図６のブロック図および図８と図９のフローチャートを参照しながら、この方法をより詳細に説明する。
【００８２】
ユーザがシャッタ１７を押圧すると、ステップ５０でデジタルカメラ１５を用いてデジタル画像を記録するように携帯電話１は配置されている。この実施形態において、ユーザは彼自身の顔のデジタル画像を記録する。制御ユニット２０は、ステップ５１で、デジタル画像をＭＭＳ（マルチメディア・メッセージ・サービス）メッセージとしてパッケージにする。制御回路２０はステップ５２で、携帯ネットワーク４０２の無線インタフェース１０を介してＭＭＳＣ（マルチメディア・メッセージ・サービス・センター）４０３に対してＭＭＳを送信する。このＭＭＳメッセージは、インターネット４０４を介して、サービスサーバ１００，４０５に送られる。ＭＭＳメッセージはまた、携帯ネットワークを介して、サービスサーバ１００，４０５に送ることもできる。ステップ６０で、サービスサーバ１００，４０５はインターネット４０４を介して、ソフトウェア構成要素であるメッセージ受信部１０１を用いて、ＭＭＳメッセージを受信する。ステップ６１で、メッセージ受信部１０１は、メッセージの送り手を知るために、例えば電話番号、電子メールアドレスまたはＩＰ（インターネット・プロトコル）番号などのユーザの同一性の証明を一時的に格納する。
【００８３】
ステップ６２で、メッセージ受信部１０１は、サービス取扱い部１０２を活性化させ、ステップ６３ａで、ＭＭＳのパッケージを解除してデジタル画像フォーマットにする。ステップ６３ｂで、サービス取扱い部１０２は、デジタル画像を対象認識部１０３へと転送する。ステップ６４で、対象認識部はデジタル画像から、この場合、ユーザの顔を記述した、対象を抽出する。対象は、選択された多数のパラメータにより表現されているので、対象は充分な精度で記述されるであろう。対象がどのくらい高精度で記述されるべきであるかは、正しい比較を保証するために配置される要求に原因があっても良く、例えば、適用分野に原因があっても良い。
【００８４】
ステップ６５で、対象認識部１０３は、抽出された対象に最も良く似ている格納された対象を見つけ出すために、受信された対象を表すパラメータを、対象データベース１０４内に格納された対象を表すパラメータと比較することにより、類似性解析を作成する。格納された対象は、異なる顔を記述する。異なるパラメータが異なる範囲に対して重付けされる。類似性解析を作成するために、例えば、「固有の顔」のような顔認識を用いることが可能であり、これはまた、ＰＣＡ（原理と構成要素の解析）とも呼ばれ、それらの顔認識ソフトウェア内のビーセイジ［Viisage］、または、フェースイツ［FaceIt］やＬＦＡ等の顔認識ソフトウェアであるインデンテックス［Indentix］（予めの映像化）により用いられる。この技術に関するより多くの情報は、インターネットアドレスhttp://www.pcquest.com/content/depth101100105.aspに見出されるべきである。
【００８５】
事実のデータベース１０５は、対象データベース１０４内に格納された対象に関する追加の情報を含んでいる。これは、例えば、その人の顔が格納された対象によって表現された人の名前や年齢を含んでいても良い。ステップ６６で、サービス取扱い部１０２は、対象データベース１０４からの最高に合致した対象や、この対象に関して事実のデータベース１０５内でリンクされた項目内の情報や、合致の度合いの尺度を含む結果メッセージを作成している。
【００８６】
このようにして、この結果メッセージは、ユーザがエルビス・プレスリーに最も似ていると共にユーザが所定の値、例えばエルビス・プレスリーとエルビスの肖像画の間での可能な情報１００のうちの７９だけユーザに似ている情報を含んでいても良い。この値は、異なるパラメータを比較して適切なやり方でこれらを重み付けすることにより演算される。送信部１０６はステップ６７で、インターネット４０４を介してＭＭＳＣ４０３に対して、ＭＭＳメッセージとしての結果メッセージを送信する。ＭＭＳＣ４０３は、携帯ネットワーク４０２を介してＭＭＳメッセージを転送する。携帯電話１は、携帯ネットワーク４０２からこのＭＭＳメッセージを受信する。
【００８７】
代替的な実施形態
図４および図９を参照しながら説明するこの発明の他の実施形態において、サービスサーバ１００は、メッセージ受信部２０１、サービス取扱い部２０２、対象認識部２０３、対象データベース２０４、ＷＡＰ（無線アプリケーション・プロトコル）サーバ２０７，事実のデータベース２０５、ＳＭＳ送信部２０８およびメッセージ送信部２０６を備えている。メッセージ受信部２０１、サービス取扱い部２０２、対象認識部２０３、対象データベース２０４、事実のデータベース２０５およびメッセージ送信部２０６は、図３および第１実施形態において既述した対応する構成要素と同一の機能を有している。この第２実施形態の方法は、第１実施形態において既述した方法と同じである。なおその上に、ステップ６５における類似性解析を作成した後、以下のステップが第２実施形態では行なわれる。ステップ６８で、サービス取扱い部２０２は、ＷＡＰサーバ２０７リンクおよびキーを含むＳＭＳを作成する。ステップ６９では、ＳＭＳ送信部２０８がこのメッセージを携帯電話１に送信する。ユーザはその後、受信されたリンク上でＷＡＰサーバ２０７にコンタクト可能であり、受信されたキーを用いて個人のページにログオンすることができる。ユーザがＷＡＰサーバ２０７にコンタクトするならば、サービス取扱い部２０２は、ユーザがより多くの情報を供給可能であると共にサービスサーバ１００内の追加的なサービスへのアクセスを得ることが可能なサービスを取り扱っている。このサービス取扱い部２０２は、事実のデータベース２０５と対象データベース２０４内に、新たに供給された情報を格納する。
【００８８】
図５を参照して説明されるこの発明の第３実施形態において、サービスサーバ１００は、メッセージ受信部３０１、サービス取扱い部３０２、対象認識部３０３、対象データベース２０４、事実のデータベース３０５、メッセージ送信部２０６およびｉ−モードサーバ３０７を備えている。メッセージ受信部３０１、サービス取扱い部３０２、対象認識部３０３、対象データベース２０４、事実のデータベース３０５、メッセージ送信部２０６は、図３および第１実施形態において既述している対応する構成要素と同一の機能を有している。この第３実施形態の方法は、第１実施形態において既述している方法と同じである。サービス取扱い部３０２はステップ６６で、データベース３０４からの発見された対象と、事実のデータベース３０５からの情報と、ｉ−モードサーバ３０７に対するリンクおよびキーとを含むＭＭＳメッセージを作成する。ステップ６７でメッセージ送信部３０６は、ＭＭＳメッセージを携帯電話１に送信する。携帯電話１のユーザはその後、ｉ−モードサーバ３０７にコンタクトすることができる。ユーザがｉ−モードサーバ３０７にコンタクトしたならば、サービス取扱い部３０２は、ユーザがより多くの情報を供給して追加的なサービスへのアクセスを獲得しても良いようなサービスを取り扱っている。サービス取扱い部３０２は、事実のデータベース３０５および対象データベース３０４内に、新たに供給された情報を格納する。
【００８９】
もしもユーザがＷＡＰサーバ２０７またはｉ−モードサーバ３０７へのリンクおよびキーを受信したならば、ユーザは、例えば、競争のために、誰がエルビス・プレスリーに似ているかについて記録する。更に考えられる適用例は、この競争がテレビ番組またはその他の公的な催し物の形式で提供されることである。
【００９０】
音声対象
もしも対象が音声であるならば、例えばそれがある人物の音声サンプルであっても良く、その場合、その人物の音声は、対象認識部１０３、２０３、３０３により、対象データベー巣１０４，２０４，３０４内に格納された音声サンプルと比較されて、その後、音声データベースを構成する。音声は、例えば、携帯電話１のマイクロホン１４により記録されていても良い。対象認識部１０３、２０３、３０３は、例えば、有名な人々の声から構成されていても良い音声データベース内の声が受信された声のサンプルと最も似ていることを見つけ出している。類似性解析は、例えば、音声の周波数解析により作成されても良い。対象認識部１０３、２０３、３０３は、ヒットした結果をその識別性と共に音声データベースからの音声サンプルの形式で、サービス取扱い部１０２、２０２、３０２に供給し、これは、そのヒットの中で合致する度合いの評価の尺度と共に供給する。このサービス取扱い部１０２、２０２、３０２は、音声サンプル、ヒットの度合いおよびその人の音声サンプルが見出された人物に関する情報を含むメッセージを作成し、これは事実のデータベース１０５、２０５、３０５から集められる。例えば、メッセージは、ユーザの音声がエルビス・プレスリーに最も良くそれは１００の数値のうち６８の数値で似ている情報や、エルビス・プレスリーに関する音声サンプルさらにまたエルビスの音声サンプルを含んでいても良い。ユーザはまた、サービスの販売者のＷＡＰサーバ１０７またはｉ−モードサーバ３０７における追加のサービスに対するリンクおよびキーを受信し、例えば、だれの音声がエルビス・プレスリーに最も似ているかについての競争のために、そこで記録しても良い。更に考えられる適用例は、この競争がラジオ番組の形式で提供されることである。
【００９１】
音声対象の他の実施例は、鳥のさえずりであり、この場合、鳥のさえずりに由来するその鳥の種を、その種に特有の属性に関する事実のデータベースからの事実、および、問題となっている鳥の種の音声サンプルなどと共に、知ることになる。これはまた、エンジン音や楽器の音についても適用可能である。
【００９２】
これと代替的には、ユーザは、例えば、携帯電話を用いて、鳥の声を記録して音声を作成することにより、音声対象を生成しても良い。この対象は、ＭＭＳメッセージにより、サービスサーバへと送られて、このサービスサーバはその音声対象について類似性解析を作成する。ＭＭＳメッセージは、これは、選択されたサービスの変形、場所および時間に関する情報であっても良い。
【００９３】
画像対象および音声対象
もしも対象が音声ばかりでなく画像も記録するならば、それは、例えば、ある人物の肖像を構成しても良く、対象認識部１０３、２０３、３０３を用いて対象データベース１０４、２０４、３０４に格納された人物像と比較されているその人物の外見である、その人物の人物像を構成すると共に、対象認識部１０３、２０３、３０３を用いて対象データベース１０４、２０４、３０４に格納された音声サンプルと比較されている、その人物の音声サンプルを構成している。この場合、対象データベース１０４、２０４、３０４は、音声サンプルと人物像との両方を含んでいる。対象認識部１０３、２０３、３０３は、例えば、受信された人物像に最も似ている、周知の人物の人物像を構成していても良い、対象データベース１０４、２０４、３０４内のその人物像を見つけ出すと共に、例えば、受信された音声サンプルに最も似ている、周知の人物の声を構成していても良い、音声データベース内のその音声を見つけ出している。対象認識部１０３、２０３、３０３は、ヒットの結果を、サービス取扱い部１０２、２０２、３０２に対する識別性を有する対象データベース１０４、２０４、３０４からの人物像および音声サンプルの形式で、ヒットの合致の度合いを表示する評価の尺度と共に供給する。サービス取扱い部１０２、２０２、３０２はその後、事実のデータベース１０５、２０５、３０５から集められ、人物像、音声サンプル、合致の度合い、および、人物像および音声サンプルのそれぞれ内の人物に関する情報と一体にされた、メッセージを作成する。例えば、結果データは、ユーザがエルビス・プレスリーに最も良く、１００のうちの８２の値でそのように、エルビス・プレスリーに関する情報およびその人物像に似ていても良いし、ユーザが、１００のうちの８８の値でブルース・スプリングスティーンのような声を出し、ブルース・スプリングスティーンに関する情報および彼の音声サンプルを受信するようにしても良い。これと代替的に、ユーザはまた、１００のうち２２でエルビスのような声を出していたこと、および、１００のうちの１２でブルースに似ていたということを知ることになるであろう。他の代替例は、音声および外見が結合された類似性の値へと重み付けされ、上述した実施例においては、ユーザは、音声と外見に関して、そのユーザがジョニー・キャッシュに１００のうちの７３の値で良く似ており、ジョニー・キャッシュについての情報、彼の人物像と音声サンプルとを受け取っている。
【００９４】
ユーザはまた、サービス販売者のＷＡＰサーバ２０７またはｉ−モードサーバ３０７についての追加のサービスに対するリンクとキーとを受信して、そこで、例えば、音声と外見に関して誰が最もジョニー・キャッシュに似ているかについての競争を記録しても良い。さらに考えられ得る適用例は、この競争がテレビ番組または他の幾つかの公共の催し物の形式で提供されることである。
【００９５】
サービスサーバ１００の所有者は、例えば、オートバイのモデルのエンジンの特徴的な音を入力することにより、対象データベース１０４、２０４、３０４内の項目を代替的に作成できる。さらに、リンクが事実のデータベース１０５、２０５、３０５内の項目に対して作成され、この場合、サービス・プロバイダがオートバイのモデルに関するデータを入力している。これは、製造メーカ、モデル名、製造年数、性能、総代理人その他を含んでいても良い。この情報は、ＸＭＬ（拡張可能マークアップ言語）文書として作成可能であるので、これは事実を付加することが容易となるであろう。
【００９６】
変更例
この発明の上述した実施形態の多くの変更例は、この発明の範囲内で実現可能であり、これは添付された特許請求の範囲の中で定義されることは、正しく評価されるであろう。
【００９７】
画像対象の他の実施例は、ある人が、犬種差の特性や飼育者の事実と共に、問題となっている犬種の犬の画像と共に、その犬種をさらに知るようになることに関する、複数の犬である。これはまた、キノコ、花、葉、または乗り物へも適用可能である。
【００９８】
例えば、上記の実施例においては携帯電話である、通信装置は、ＰＤＡ、またはデータを受信するばかりでなくデータを記録し送信するために必要な機能を伴うその他の同等の装置であっても良い。
【００９９】
メッセージ受信部１０１、２０１、３０１は、１つまたはそれ以上のメッセージ・フォーマットを取り扱っても良い。このようなフォーマットの例は、ＥＭＳ（機能強化されたメッセージ・サービス）、ＭＭＳおよび電子メール（ｅ−メール）である。
【０１００】
対象は、画像、音声または音声と画像を含むマルチメディア対象であっても良い。ユーザは、この方法の追加的な制御用の追加のテキストのオプション（選択可能物）を有しても良い。これは、選択されたサービスの変形、すなわち、それが年齢、性別および個人データと比較されるべきである、画像または音声の何れかであるか、に関する情報であっても良い。
【０１０１】
対象データベース１０４、２０４、３０４および事実のデータベース１０６、２０６、３０６は、ユーザの送信された対象や、持続的に付加された事実によって自動的に更新されても良い。これに対するユーザの一致を要求することは、好都合である。この一致は、サービス・プロバイダのＷＡＰサーバ２０７またはｉ−モードサーバ３０７にコンタクトをとるために結果メッセージに付着可能であると共に安全な接続を介してユーザの一致をそこに与えるリンクやキーを用いるユーザにより適切に提供される。代替的には、このユーザは、オプションについて分離されたＳＭＳを介して、または、ＷＡＰプッシュを介して、このオプションと、個人に関する情報を格納することに関連する国内法令の違反を防止するために、コンタクトされている。
【０１０２】
この方法はまた、携帯通信装置の最初のユーザがそっくりなものを見つけ出すようにするために用いることができる。第１のユーザはその後、サービスサーバ内に格納された彼自身の画像を送信する。第１のユーザに似ている第２のユーザがサービスサーバに対して彼自身の画像を送信するならば／するとき、このサービスサーバは、そっくりであるものが既に発見された彼らの携帯電話内の情報を両方とも受信するように配置されることが可能である。
【０１０３】
もしもこの方法が、例えば、ある人物が所定の有名人に最もよく似ているかを見つけ出す競争に用いられるならば、この利用者は第１のステージでは彼が誰に似ているのか否かを知らなくても良いし、それは、彼がその競争に勝利して、彼が有名人にどのくらい似ているのかを知った後でのみ知ればよい。
【０１０４】
デジタルカメラを用いて顔の画像を記録し、その画像を例えばインターネットのようなネットワークに接続されたＰＣへ送信し、その画像を類似性解析として作成してこの類似性解析の結果を前記ＰＣに送り戻すサービスサーバ１００へ送信することもまた可能である。この場合、デジタルカメラおよびＰＣは、通信装置を構成する。デジタルカメラはＰＣ内に統合されていても良い。
【０１０５】
暗号化ソフトウェアを用いること、および、対象を送信する前に記録された対象を暗号化することもまた、可能である。
【０１０６】
記録された対象は、指紋であっても良い。類似性解析はその後、指紋認識用の適切なソフトウェアを用いて作成される。
【０１０７】
第１の詳細な実施形態および図６のブロック図並びに図８と図９のフローチャートを参照しながら、追加のステップが導かれる。サービスサーバ１００がステップ６０で対象を受信した後、このサービスサーバ１００は、ＷＡＰプッシュを携帯電話に送るように配置することもできる。ＷＡＰプッシュは、形式または、例えば、ＭＭＳを用いる形式に対する参照を送ることができ、携帯電話１のユーザは、ＭＭＳとしてのサービスサーバ１００の中を満たすと共に送り返している。もしもこの方法がデートサービスに用いられるならば、この形式は、例えば、氏名、性別、身長、趣味等に関する情報を含んでいても良い。サービスサーバ１００がこの形式を受信するときに、このサービスサーバ１００は、受信された記録情報と形式の中の受信された情報とに基づいて類似性解析を作成する。
【図面の簡単な説明】
【０１０８】
【図１】携帯通信装置の概略正面図である。
【図２】図１に示された携帯通信装置の幾つかの構成要素の概略ブロック図である。
【図３】この発明の第１実施形態によるサーバの概略ブロック図である。
【図４】この発明の第２実施形態によるサーバの概略ブロック図である。
【図５】この発明の第３実施形態によるサーバの概略ブロック図である。
【図６】この発明によるシステムの概略ブロック図である。
【図７】この発明による一般的な方法のフローチャートである。
【図８】この発明の第１実施形態による携帯電話内の方法のフローチャートである。
【図９】この発明の第１実施形態によるサーバ内の方法のフローチャートである。
【図１】
2006504180.tif 000003
【図２】
2006504180.tif 000004
【図３】
2006504180.tif 000005
【図４】
2006504180.tif 000006
【図５】
2006504180.tif 000007
【図６】
2006504180.tif 000008
【図７】
2006504180.tif 000009
【図８】
2006504180.tif 000010
【図９】
2006504180.tif 000011
【手続補正書】
【提出日】平成16年5月19日(2004.5.19)
【手続補正１】
【補正対象書類名】特許請求の範囲
【補正対象項目名】全文
【補正方法】変更
【補正の内容】
【特許請求の範囲】
【請求項１】
通信装置（１）を用いて、顔である、現実の対象のデータを記録するステップ（４０；５０）と、
前記記録データをサービスサーバ（１００；４０５）に送信するステップ（４１；５２，６０）と、
前記記録データから比較対象を抽出するステップ（４２；６４）と、
前記比較対象と予め格納された対象との間で類似性解析を作成するステップ（４５；６５）と、
前記類似性解析に関する情報を含む結果データを結果ユニット（１；１００；４０５）に送信するステップ（４４；６７）と、
を備える、種々の対象の類似性を評価する方法。
【請求項２】
前記記録データをサービスサーバ（１００；４０５）に送信するステップ（４１；５２，６０）は、少なくとも一部分は無線で生じている請求項１に記載の方法。
【請求項３】
前記記録データをサービスサーバ（１００；４０５）に送信するステップ（４１；５２，６０）は、前記記録データをメッセージとしてパッケージするステップ（５１）と、前記サービスサーバ内で前記メッセージのパッケージを解除するステップ（６３ａ）とを備える請求項１または請求項２の何れかに記載の方法。
【請求項４】
前記通信装置（１）の前記同一性を前記サービスサーバ（１００；４０５）に送信するステップ（４１）と、前記サービスサーバ内に前記同一性を格納するステップ（６１）と、をさらに備える請求項１ないし請求項３の何れかに記載の方法。
【請求項５】
前記結果ユニットは前記通信装置（１）より構成される請求項１ないし請求項４の何れかに記載の方法。
【請求項６】
前記結果データは、アドレスリンクを包含する請求項１ないし請求項５の何れかに記載の方法。
【請求項７】
前記記録データは、デジタル画像である請求項１ないし請求項６の何れかに記載の方法。
【請求項８】
前記サービスサーバ（１００；４０５）は多数の格納された対象を備えると共に、前記類似性解析は、
前記比較対象が最も似ている格納された対象を同一であると識別するステップを備える請求項１ないし請求項７の何れかに記載の方法。
【請求項９】
前記結果データは、前記比較対象が最も似ているものと識別された対象と、類似性の度合いの尺度と、を包含する請求項８に記載の方法。
【請求項１０】
前記結果データは、前記比較対象が最も似ている格納対象に関する追加の情報を包含する請求項９に記載の方法。
【請求項１１】
前記サービスサーバ（１００；４０５）内に前記比較対象を格納するステップをさらに備える請求項１ないし請求項１０の何れかに記載の方法。
【請求項１２】
前記通信装置は、携帯電話である請求項１ないし請求項１１の何れかに記載の方法。
【請求項１３】
前記メッセージは、ＭＭＳ（マルチメディア・メッセージ・サービス）メッセージである請求項３に記載の方法。
【請求項１４】
送信されるデータに応答して、前記通信装置（１）へフォームを送るステップと、
前記通信装置（１）を用いてフォームデータを記録するステップと、
前記サービスサーバへ前記記録されたフォームデータを送信するステップと、
を更に備えると共に、
前記類似性解析を作成（４５；６５）するステップは、前記類似性解析の中の前記フォームデータを用いるステップを備える請求項１ないし請求項１３の何れかに記載の方法。
【請求項１５】
顔である、実際の対象の記録データを受信するステップ（６０）と、
前記データから比較対照を抽出するステップ（４２；６４）と、
前記比較対象と予め格納された対象の間で類似性解析を作成するステップ（４５；６５）と、
前記類似解析に関する情報を包含する結果データを送信するステップ（４４；６７）と、
を備える、種々の対象の類似性を評価する方法。
【請求項１６】
前記受信データは、ＭＭＳメッセージである、請求項１５に記載の方法。
【請求項１７】
受信データに応答してフォームを送るステップと、
フォームデータを受信するステップと、をさらに備えると共に、
前記類似性解析を作成するステップ（４５；６５）は、前記類似性解析内の前記フォームデータを用いるステップを備える請求項１５または請求項１６の何れかに記載の方法。
【請求項１８】
前記比較対象が最も似ている前記格納対象の同一性を識別するステップをさらに備え、
前記結果データは、前記比較対象が最も似ている前記識別された対象と、類似性の度合いの尺度とを包含する請求項１５ないし請求項１７の何れかに記載の方法。
【請求項１９】
サービスサーバ（１００；４０５）内に比較対象を格納するステップをさらに備える請求項１５ないし請求項１８の何れかに記載の方法。
【請求項２０】
顔である実際の対象の記録データを受信するために適用される受信部（１０１；２０１；３０１）と、対象を格納するため適用される対象データベース（１０４；２０４；３０４）と、比較対象を抽出するため適用されるサービス取扱い部（１０２；２０２；３０２）と、前記比較対象と前記格納対象との間で類似性解析を作成するため適用される対象認識部（１０３；２０３；３０３）と、前記類似性解析に関する情報を包含する結果データを送信するため適用される送信部（１０６；２０６；３０６）と、を備える、種々の対象の類似性を評価するためのサーバ（１００；４０５）。
【請求項２１】
前記格納対象に関する情報を格納するために適用される事実のデータベース（１０５；２０５；３０５）をさらに備える請求項２０に記載のサーバ（１００；４０５）。
【請求項２２】
ＷＡＰサーバをさらに備える請求項２０または請求項２１の何れかに記載のサーバ（１００；４０５）。
【請求項２３】
ＳＭＳ送信部をさらに備える請求項２０ないし請求項２２の何れかに記載のサーバ（１００；４０５）。
【請求項２４】
ｉ−モードサーバをさらに備える、請求項２０または請求項２１の何れかに記載のサーバ（１００；４０５）
【請求項２５】
受信部（１０１；２０１；３０１）がＭＭＳ受信部である請求項２０ないし請求項２４の何れかに記載のサーバ（１００；４０５）。
【請求項２６】
前記比較対象が最も似ている前記格納対象を識別するためにさらに適用され、
前記結果データは、前記比較対象が最も似ている前記識別された対象と、類似性の度合いの尺度と、を包含する請求項２０ないし請求項２５の何れかに記載のサーバ（１００；４０５）。
【請求項２７】
前記比較対象を格納するためにさらに適用される、請求項２０ないし請求項２６の何れかに記載のサーバ（１００；４０５）。
【請求項２８】
前記受信データに応答して、フォームを送るためにさらに適用されると共に、フォームデータを受信するために適用され、前記サーバは、前記類似性解析における前記フォームデータを用いるために適用される、請求項２０ないし請求項２７の何れかに記載のサーバ（１００；４０５）。
【請求項２９】
実際の対象のデータを記録すると共に前記記録データを少なくとも部分的には無線であるネットワークを介して、請求項２０ないし請求項２８の何れかに記載されたように配置されたサーバ（１００；４０５）へと送信するために適用された通信装置（１）を備える、種々の対象の類似性を評価するためのシステム。
【請求項３０】
ＴＶプログラム内で、予め格納された対象と受信された記録データから抽出された多数の比較対象との間で類似性解析を作成するための、請求項１ないし請求項１９の何れかに記載された方法の使用。
【国際調査報告】
2006504180.tif 000012
2006504180.tif 000013
2006504180.tif 000014